(57)【特許請求の範囲】
【請求項１】
相対移動可能とされた一対のユニットを有し、これらユニット同士が所定の位置関係にあるとき互いの搬送路同士の間で前記相対移動方向に交差する方向に、該方向に長手方向または短手方向を沿わせた姿勢で紙幣が一枚ずつ受け渡される紙幣入出金機であって、
一方のユニットの前記搬送路を、前記所定の位置関係にあるとき他方のユニット側に突出させる一方、ユニット同士の前記所定の位置関係からの相対移動時に該相対移動に連動して前記一方のユニット側に退避させる突出・退避機構部が設けられていることを特徴とする紙幣入出金機。
【請求項２】
前記相対移動方向に交差する方向は、下から上方向であることを特徴とする請求項１記載の紙幣入出金機。
【請求項３】
前記突出・退避機構部は、前記他方のユニットに設けられた凹部を有するガイド部と、前記一方のユニットに設けられるとともにユニット同士が前記所定の位置関係にあるとき前記凹部に入り込むことで前記一方のユニットの前記搬送路を前記他方のユニット側に突出させる一方、ユニット同士の前記所定の位置関係からの相対移動時に前記ガイド部の前記凹部より外側に載り上げることで前記一方のユニットの前記搬送路を該一方のユニット側に退避させる作動部とを有することを特徴とする請求項１または２記載の紙幣入出金機。
【請求項４】
前記突出・退避機構部は、前記所定の位置関係にあるとき、前記一方のユニットの搬送路の紙幣を案内するガイド部材を前記他方のユニット側に突出させる一方、ユニット同士の前記所定の位置関係からの相対移動時に該相対移動に連動して、前記ガイド部材を前記一方のユニット側に退避させることを特徴とする請求項１乃至３のいずれか一項記載の紙幣入出金機。
【請求項５】
前記突出・退避機構部は、前記所定の位置関係にあるとき、駆動力が伝達される前記一方のユニットの搬送路の動力伝達部材を前記他方のユニット側に突出させて該他方のユニット側から駆動力の伝達を可能とする一方、ユニット同士の前記所定の位置関係からの相対移動時に該相対移動に連動して、前記動力伝達部材を前記一方のユニット側に退避させることを特徴とする請求項１乃至４のいずれか一項記載の紙幣入出金機。
【請求項６】
前記突出・退避機構部は、前記他方のユニットに設けられた凹部を有するガイド部と、前記一方のユニットに設けられるとともにユニット同士が前記所定の位置関係にあるとき前記凹部に入り込むことで前記一方のユニットの搬送路の紙幣を案内するガイド部材を前記他方のユニット側に突出させるとともに駆動力が伝達される動力伝達部材を前記他方のユニット側に突出させて該他方のユニット側から駆動力の伝達を可能とする一方、ユニット同士の前記所定の位置関係からの相対移動時に前記ガイド部の前記凹部より外側に載り上げることで前記一方のユニットの搬送路の前記ガイド部材および前記動力伝達部材を該一方のユニット側に退避させる作動部材とを有することを特徴とする請求項１または２記載の紙幣入出金機。
【発明の詳細な説明】
【０００１】
【発明の属する技術分野】
本発明は、引き出し可能なユニットを有する紙幣入出金機に関する。
【０００２】
【従来の技術】
従来、銀行等の金融機関では、入金する紙幣を一枚ずつ取り込むとともに、その取り込んだ紙幣の金種等を識別し振り分けて、金種別に設けられる一時貯留・収納繰出部の上部の複数の一時貯留部にその入金が確定するまで一時貯留させるとともに、入金の確定後、その紙幣を一時貯留・収納繰出部の下部の収納繰出部に収納する一方、収納繰出部に収納した紙幣を、出金処理において出金用の紙幣として出金させる還流式の紙幣入出金機が用いられている。このような紙幣入出金機としては、既に特許第１９２２９１４号公報に開示されたもの等がある。
【０００３】
上記公報に開示された紙幣入出金機は、入金された紙幣を入金確定操作により収納するまで返却可能に一時貯留させる複数の一時貯留部を有する一時貯留ユニットが機体ユニットに対し引き出し可能とされており、入金された紙幣を収納せずに返却する際には、テラーがこの一時貯留ユニットを機体ユニットから引き出して内部の一時貯留紙幣を取り出すようになっている。
【０００４】
【発明が解決しようとする課題】
上記の紙幣入出金機においては、一時貯留ユニットが機体ユニットに対し引き出し可能とされているため、構造上、これらの搬送路同士には、ユニット同士の境目部分に、少なからず不連続な部分が生じてしまうことになる。しかしながら、機体ユニットから一時貯留ユニットに送り込まれる際に、紙幣は一時貯留ユニットの比較的広い空間に送り込まれることになるため、ユニット間での紙幣の受け渡しに大きな問題を生じることはなかった。また、一時貯留ユニットから機体ユニットに紙幣が送り込まれる際にも、紙幣は厚さ方向を送り方向に沿わせて送り込まれ、しかも、比較的広い空間に送り込まれることになるため、ユニット間での紙幣の受け渡しに大きな問題を生じることはなかった。
【０００５】
ところで、本出願人においては、紙幣搬送の都合上、少なくとも一方が引き出し可能とされたユニット同士の間で、ユニットの引き出し方向に対し交差する方向に、この方向に長手方向または短手方向を沿わせた姿勢で紙幣を一枚ずつ受け渡すように搬送する必要性が生じた。このように、長手方向または短手方向を搬送方向に沿わせた姿勢で紙幣をユニット間において受け渡す場合に、引き出しのためにこれらの搬送路同士の間に長い不連続部分があると、特にこれら搬送路の幅が狭い場合に、これらの間で紙幣が良好に案内されずに、ジャム等を生じる可能性があった。このような問題を解決するため、一方のユニットの搬送路を他方のユニット側に突出させることを考えたが、このように構成すると、ユニットの相対移動が困難となり、引き出すことができなくなってしまうという新たな問題が発生した。
【０００６】
したがって、本発明は、一方のユニットの搬送路を他方のユニット側に突出させることを可能とした上で、これらユニット同士を相対移動可能にすることができる紙幣入出金機の提供を目的とする。
【０００７】
【課題を解決するための手段】
上記目的を達成するために、本発明の請求項１記載の紙幣入出金機は、相対移動可能とされた一対のユニットを有し、これらユニット同士が所定の位置関係にあるとき互いの搬送路同士の間で前記相対移動方向に交差する方向に、該方向に長手方向または短手方向を沿わせた姿勢で紙幣が一枚ずつ受け渡されるものであって、一方のユニットの前記搬送路を、前記所定の位置関係にあるとき他方のユニット側に突出させる一方、ユニット同士の前記所定の位置関係からの相対移動時に該相対移動に連動して前記一方のユニット側に退避させる突出・退避機構部が設けられていることを特徴としている。
【０００８】
これにより、一対のユニット同士が、紙幣が一枚ずつ受け渡される所定の位置関係にあるとき、突出・退避機構部は、一方のユニットの搬送路を、他方のユニット側に突出させることで、これらユニットの搬送路同士を近接させることになる。一方、ユニット同士の所定の位置関係からの相対移動時に、突出・退避機構部は、一方のユニットの搬送路を、該相対移動に連動して一方のユニット側に退避させることで、相対移動時における一方のユニットの搬送路の他方のユニットへの干渉を回避することになる。
【０００９】
本発明の請求項２記載の紙幣入出金機は、請求項１記載のものに関して、前記相対移動方向に交差する方向は、下から上方向であることを特徴としている。
【００１０】
これにより、紙幣が下から上方向に搬送されるため、重力の影響で先端部がより曲がりやすく、紙幣が良好に案内されずにジャム等を生じやすい搬送に対して、突出・退避機構部が、ユニットの搬送路同士を近接させることになる。
【００１１】
本発明の請求項３記載の紙幣入出金機は、請求項１または２記載のものに関して、前記突出・退避機構部は、前記他方のユニットに設けられた凹部を有するガイド部と、前記一方のユニットに設けられるとともにユニット同士が前記所定の位置関係にあるとき前記凹部に入り込むことで前記一方のユニットの前記搬送路を前記他方のユニット側に突出させる一方、ユニット同士の前記所定の位置関係からの相対移動時に前記ガイド部の前記凹部より外側に載り上げることで前記一方のユニットの前記搬送路を該一方のユニット側に退避させる作動部とを有することを特徴としている。
【００１２】
これにより、一対のユニット同士が、紙幣が一枚ずつ受け渡される所定の位置関係にあるとき、突出・退避機構部は、作動部が、他方のユニットに設けられたガイド部の凹部に入り込むことで、一方のユニットの搬送路を、他方のユニット側に突出させて、これらユニットの搬送路同士を近接させることになる。一方、ユニット同士の所定の位置関係からの相対移動時に、突出・退避機構部は、作動部が、ガイド部の凹部より外側に載り上げることで、一方のユニットの搬送路を該一方のユニット側に退避させて、相対移動時における一方のユニットの搬送路の他方のユニットへの干渉を回避することになる。
【００１３】
本発明の請求項４記載の紙幣入出金機は、請求項１乃至３のいずれか一項記載のものに関して、前記突出・退避機構部は、前記所定の位置関係にあるとき、前記一方のユニットの搬送路の紙幣を案内するガイド部材を前記他方のユニット側に突出させる一方、ユニット同士の前記所定の位置関係からの相対移動時に該相対移動に連動して、前記ガイド部材を前記一方のユニット側に退避させることを特徴としている。
【００１４】
これにより、一対のユニット同士が、紙幣が一枚ずつ受け渡される所定の位置関係にあるとき、突出・退避機構部は、一方のユニットの搬送路のガイド部材を、他方のユニット側に突出させることで、これらユニットの搬送路のガイド部材同士を近接させることになる。一方、ユニット同士の所定の位置関係からの相対移動時に、突出・退避機構部は、一方のユニットの搬送路のガイド部材を、該相対移動に連動して一方のユニット側に退避させることで、相対移動時における一方のユニットの搬送路のガイド部材の他方のユニットへの干渉を回避することになる。
【００１５】
本発明の請求項５記載の紙幣入出金機は、請求項１乃至４のいずれか一項記載のものに関して、前記突出・退避機構部は、前記所定の位置関係にあるとき、駆動力が伝達される前記一方のユニットの搬送路の動力伝達部材を前記他方のユニット側に突出させて該他方のユニット側から駆動力の伝達を可能とする一方、ユニット同士の前記所定の位置関係からの相対移動時に該相対移動に連動して、前記動力伝達部材を前記一方のユニット側に退避させることを特徴としている。
【００１６】
これにより、一対のユニット同士が、紙幣が一枚ずつ受け渡される所定の位置関係にあるとき、突出・退避機構部は、一方のユニットの搬送路の動力伝達部材を、他方のユニット側に突出させることで、該他方のユニット側から駆動力の伝達を可能とする。一方、ユニット同士の所定の位置関係からの相対移動時に、突出・退避機構部は、一方のユニットの搬送路の動力伝達部材を、該相対移動に連動して一方のユニット側に退避させることで、相対移動時における一方のユニットの搬送路の動力伝達部材の他方のユニットへの干渉を回避することになる。
【００１７】
本発明の請求項６記載の紙幣入出金機は、請求項１または２記載のものに関して、前記突出・退避機構部は、前記他方のユニットに設けられた凹部を有するガイド部と、前記一方のユニットに設けられるとともにユニット同士が前記所定の位置関係にあるとき前記凹部に入り込むことで前記一方のユニットの搬送路の紙幣を案内するガイド部材を前記他方のユニット側に突出させるとともに駆動力が伝達される動力伝達部材を前記他方のユニット側に突出させて該他方のユニット側から駆動力の伝達を可能とする一方、ユニット同士の前記所定の位置関係からの相対移動時に前記ガイド部の前記凹部より外側に載り上げることで前記一方のユニットの搬送路の前記ガイド部材および前記動力伝達部材を該一方のユニット側に退避させる作動部材とを有することを特徴としている。
【００１８】
これにより、一対のユニット同士が、紙幣が一枚ずつ受け渡される所定の位置関係にあるとき、突出・退避機構部は、作動部材が凹部に入り込むことで一方のユニットの搬送路のガイド部材を、他方のユニット側に突出させることでこれらユニットの搬送路のガイド部材同士を近接させるとともに、動力伝達部材を、他方のユニット側に突出させることで、該他方のユニット側から駆動力の伝達を可能とする。一方、ユニット同士の所定の位置関係からの相対移動時に、突出・退避機構部は、一方のユニットの搬送路のガイド部材および動力伝達部材を、該相対移動に連動して一方のユニット側に退避させることで、相対移動時における一方のユニットの搬送路のガイド部材および動力伝達部材の他方のユニットへの干渉を回避することになる。
【００１９】
【発明の実施の形態】
本発明の紙幣入出金機の一実施形態である貨幣入出金機を図面を参照して以下に説明する。なお、図２における紙面右側および図３、図４、図９〜図１４における紙面下側さらに図５、図６、図８における紙面左側が、操作を行うオペレータ側すなわち前方（正面側）を示す。また、以下における「前」はオペレータ側、「後」はオペレータに対し反対側であり、左右は、オペレータ側から見たときの左右である。
【００２０】
この貨幣入出金機は、銀行等の金融機関のテラーカウンタの下側に配置され、左右の二人のテラー等のオペレータに共用で使用可能とされるとともに、使用時には左右の二人のオペレータのいずれか一人に占有使用されるものであって、図１に示すように、紙幣の入金、収納、回収および出金等、紙幣に関する各処理を行う紙幣入出金部１１と、硬貨の入金、収納、回収および出金等、硬貨に関する各処理を行う硬貨入出金部１２とが一体的に設けられたものである。
【００２１】
硬貨入出金部１２は、機体１０における上部に主として配置されており、紙幣入出金部１１と硬貨入出金部１２の一部とが、機体１０における下部に硬貨入出金部１２よりも前方に突出するように配置されている。なお、硬貨入出金部１２および紙幣入出金部１１は、機体１０の正面側に引き出し可能となっており、これらを機体１０に対しロックおよびロック解除する引出キー１３が紙幣入出金部１１の正面側に設けられている。
【００２２】
貨幣入出金機には、その機体１０の上面の正面（前面）側の左右両側に、上方に向いて、左右のオペレータにより各処理の操作が入力される操作部１４と処理状態等を表示する表示ランプ部１５とが設けられており、また、右側にのみ、処理のガイドメニュー、処理状態および処理結果等を表示する表示パネル１６が設けられている。なお、これら操作部１４、表示ランプ部１５および表示パネル１６は、硬貨入出金部１２および紙幣入出金部１１に対し共用とされている。
【００２３】
また、機体１０の上面の正面より若干後側の左右方向における中央には、硬貨入出金部１２に入金硬貨を投入するための硬貨入金口１７が設けられており、硬貨入出金部１２の下部すなわち紙幣入出金部１１側には、正面から後方に凹んで受皿挿入口１８が設けられている。この受皿挿入口１８には図示せぬ受皿が挿入されることになり、硬貨入出金部１２は、このように受皿挿入口１８に挿入された状態の受皿に硬貨の出金を行う。受皿挿入口１８と隣り合う位置にはリジェクト硬貨を返却するための硬貨リジェクト口１９が設けられている。
【００２４】
紙幣入出金部１１の硬貨入出金部１２よりも正面側に突出する部分の上面には、その最も正面側の左右方向の中央に、紙幣入出金部１１の内部から紙幣が送り出される紙幣出金口２０が設けられるとともに、この紙幣出金口２０の後に、入金する紙幣がオペレータによりセットされる紙幣入金口２１が設けられている。なお、紙幣出金口２０には、これを開閉するシャッタ２２が設けられている。ここで、紙幣入出金部１１のこれら紙幣出金口２０および紙幣入金口２１と隣り合う側方位置には、硬貨入出金部１２の一部である硬貨一括金庫２３が設けられている。この硬貨一括金庫２３は硬貨を収納するもので、機体１０に対し着脱可能とされており、この硬貨一括金庫２３の正面側には、これを機体１０に対しロックおよびロック解除する取出キー２３ａが設けられている。また、紙幣入出金部１１の下部正面には電源スイッチ２７が設けられている。
【００２５】
紙幣入出金部１１は、紙幣入金口２１にその長手方向を左右方向とした状態でセットされる紙幣を入金させて収納する入金処理を行うとともに、収納した紙幣を必要に応じて紙幣出金口２０ヘ出金させる出金処理等の紙幣における各処理を行う。
【００２６】
以下に、本発明の要部である紙幣入出金部１１について説明する。
紙幣入出金部１１は、主として紙幣入金口２１から取り込まれた紙幣、あるいは紙幣出金口２０に向け出金させられる紙幣をその短手方向を搬送方向に沿わせた状態で搬送する上層ユニット２４と、入金され上層ユニット２４で搬送された紙幣を入金確定操作により収納するまで返却可能に金種別に一時貯留させる中層ユニット（ユニット）２５と、中層ユニット２５に一時貯留させた紙幣を入金確定後に収納する一方、収納した紙幣をその短手方向を搬送方向に沿わせた状態で搬送し出金用として繰り出す下層ユニット（ユニット）２６とを有しており、これら上層ユニット２４、中層ユニット２５および下層ユニット２６は、それぞれ個別に貨幣入出金機の機体１０から正面側に引き出し可能とされている。
【００２７】
その結果、例えば、中層ユニット２５と下層ユニット２６とが共に機体１０に装填された状態から、中層ユニット２５のみを機体１０から引き出すことで、これら中層ユニット２５および下層ユニット２６は相対移動することになり、この状態から中層ユニット２５を機体１０に再装填することでも、これら中層ユニット２５および下層ユニット２６は相対移動することになる。同様に、これら中層ユニット２５および下層ユニット２６が共に機体１０に装填された状態から、下層ユニット２５のみを機体１０から引き出すことで、これら中層ユニット２５および下層ユニット２６は相対移動することになり、この状態から下層ユニット２５を機体１０に再装填することでも、これら中層ユニット２５および下層ユニット２６は相対移動することになる。
【００２８】
図２および図３に示すように、中層ユニット２５の正面側の左右両側面部８０には、それぞれ取っ手８１が左右に鏡面対象形状をなして形成されている。オペレータは、この取っ手８１を介して正面側に引くことで中層ユニット２５を機体１０から引き出すようになっている。
【００２９】
そして、両取っ手８１には、プラスチック等からなる半透明のランプカバー８８が設けられており、各ランプカバー８８の内側には、ランプカバー８８に発光方向を向けてランプ８９が配置されている。なお、中層ユニット２５においては、ランプカバー８８よりも後方側の部分が、機体１０への装填時に機体１０内に隠れる部分となる。ランプ８９は、点灯または点滅すると、その光が半透明のランプカバー８８を透過して外部に照射される。
【００３０】
〔上層ユニット〕
上層ユニット２４は、図４に示すように、入金処理時において入金紙幣がセットされ該セットされた入金紙幣を一枚ずつ機内に取り込む上記した紙幣入金口２１と、入金処理時等における識別不能なリジェクト紙幣が繰り出されるとともに、出金処理時において機内から出金紙幣が繰り出される上記した紙幣出金口２０と、この紙幣出金口２０を開閉する上記したシャッタ２２と、入金紙幣を必要な場所に、その短手方向を搬送方向に沿わせた状態で搬送するとともに出金紙幣を必要に応じた場所に搬送する搬送路２８と、この搬送路２８の搬送途中に設けられ、入金処理時等において紙幣入金口２１から繰り出され搬送路２８で搬送される紙幣の真偽、金種、正損、重送および斜行の識別を行う識別部２９とを有している。なお、搬送路２８の途中には、識別部２９の識別結果から紙幣の表裏を判断し、紙幣の表裏を取り揃えるために必要により紙幣の表裏を反転させる表裏反転部３０が設けられている。
【００３１】
〔中層ユニット〕
中層ユニット２５には、上層ユニット２４の搬送路２８にそれぞれつながりこの搬送路２８から振り分けられた入金紙幣を取り入れる各紙幣取入部３２が設けられており、また、これら紙幣取入部３２のそれぞれの前側に、入金紙幣を、その取り引きが確定するまで一時貯留させる複数具体的には三つの同形状の一時貯留部３３ａ，３３ｂ，３３ｃが、左右方向および高さ方向の位置を互いに合わせた状態で前後方向に位置をずらして直線状に配列されている。ここで、これら三つの一時貯留部３３ａ〜３３ｃは、紙幣取入部３２側からは紙幣の送り込みのみが可能となっており、紙幣取入部３２側への紙幣の繰り出しは不可となっている。なお、これら一時貯留部３３ａ〜３３ｃに一時貯留された紙幣を入金確定せずに返却する場合、中層ユニット２５を機体１０から引き出すことによって、これら一時貯留部３３ａ〜３３ｃをすべて機体１０の外側に露出させることになり、その結果、内部に一時貯留させた紙幣のオペレータによる取り出しを可能とする。
【００３２】
また、中層ユニット２５には、一時貯留部３３ａ〜３３ｃよりも前側に、上層ユニット２４の搬送路２８に接続される搬送路３４Ａが鉛直方向に沿って設けられており、さらに、一時貯留部３３ａ〜３３ｃよりも後側に、上層ユニット２４の搬送路２８に接続される搬送路３４Ｂが鉛直方向に沿って設けられている。
【００３３】
一時貯留部３３ａ〜３３ｃは、それぞれ、対応する紙幣取入部３２から紙幣を内部に取り込む略角筒状の筐体３５と、筐体３５の下部に設けられ、筐体３５内に取り込んだ一時貯留紙幣を表裏方向を上下方向にして、上下方向に順次集積させながら載置させる開閉可能な一対のシャッタ３６，３６とを有しており、一対のシャッタ３６，３６は高さが一定で水平移動することにより筐体３５の下部を開閉する。なお、筐体３５の内側のシャッタ３６，３６よりも上側の部分が紙幣を一時貯留させる貯留空間３７となっている。
【００３４】
なお、中層ユニット２５の左右両側の取っ手８１にそれぞれ近接して設けられたランプ８９は、一時貯留部３３ａ〜３３ｃのいずれかに紙幣が存在する場合に、図示せぬ制御部により点灯または点滅させられることになり、より詳しくは、一時貯留部３３ａ〜３３ｃのいずれかに紙幣が存在し、かつ中層ユニット２５が機体１０から引き出される状況下において、点灯または点滅させられる。
【００３５】
しかも、制御部は、操作部１４への操作入力により、左右いずれのオペレータによって貨幣入出金機が占有されているか否かを認識しており、一時貯留部３３ａ〜３３ｃのいずれかに紙幣が存在する場合に、左右両側のランプ８９のうち占有使用中のオペレータ側のランプ８９のみを点灯または点滅させる。すなわち、左側のオペレータにより操作が行われる左側の操作部１４への入力で実行される処理に関連して一時貯留部３３ａ〜３３ｃのいずれかに紙幣が存在する状態になった場合には左側のランプ８９を点灯または点滅させる一方、右側のオペレータにより操作が行われる右側の操作部１４への入力で実行される処理に関連して一時貯留部３３ａ〜３３ｃのいずれかに紙幣が存在する状態になった場合には右側のランプ８９を点灯または点滅させる。
【００３６】
〔下層ユニット〕
下層ユニット２６には、各一時貯留部３３ａ〜３３ｃの下側に、これらのうち対応するものに一時貯留された紙幣を入金確定後に受け入れて内部に収納する一方、内部に収納した紙幣を最下のものから一枚ずつ紙幣繰出部３９によって繰り出し可能な複数具体的には三つの同形状の収納繰出部３８ａ，３８ｂ，３８ｃが、左右方向および高さ方向の位置を互いに合わせた状態で前後方向に位置をずらして配列されている。
【００３７】
ここで、中層ユニット２５および下層ユニット２６がともに機体１０に適正に装填された状態で、各一時貯留部３３ａ〜３３ｃとそれぞれの真下の各収納繰出部３８ａ〜３８ｃとで一時貯留・収納繰出部４０ａ〜４０ｃを構成することになり、同形状のこのような三つの一時貯留・収納繰出部４０ａ〜４０ｃが、左右方向および高さ方向の位置を互いに合わせた状態で前後方向に位置をずらして配列されることになる。
【００３８】
すなわち、最も前側の一時貯留部３３ａと最も前側の収納繰出部３８ａとが最も前側の一時貯留・収納繰出部４０ａを構成し、前から二番目の一時貯留部３３ｂと前から二番目の収納繰出部３８ｂとが前から二番目の一時貯留・収納繰出部４０ｂを構成し、前から三番目の一時貯留部３３ｃと前から三番目の収納繰出部３８ｃとが前から三番目の一時貯留・収納繰出部４０ｃを構成している。なお、これら三つの一時貯留・収納繰出部４０ａ〜４０ｃのうち、後側の二つは、金種別のものであり、具体的には前から二番目の一時貯留・収納繰出部４０ｂは流通量の多い万券（一万円札）用、前から三番目の一時貯留・収納繰出部４０ｃは流通量の多い千券（一千円札）用となっている。また、最も前側の一時貯留・収納繰出部４０ａは一金種のみに対応するものではなく、各処理に応じて適宜の紙幣を収納させたり補充用の紙幣を収納させる運用カセットとして使用される。このため、収納繰出部３８ａ〜３８ｃのうち、最も前側の収納繰出部３８ａは、機体１０から引き出された下層ユニット２６に対し着脱可能とされており、残りの収納繰出部３８ｂ，３８ｃは、下層ユニット２６に対し固定されている。
【００３９】
下層ユニット２６には、前から三番目の一時貯留・収納繰出部４０ｃの後側において、中層ユニット２５の搬送路３４Ｂを介して搬送路２８につながるとともに、すべての一時貯留・収納繰出部４０ａ〜４０ｃの下側を通って、最も前側の一時貯留・収納繰出部４０ａの前方で、中層ユニット２５の搬送路３４Ａを介して搬送路２８につながり、各収納繰出部３８ａ〜３８ｃから繰り出された出金紙幣等を、その短手方向を搬送方向に沿わせた状態で搬送する搬送路４２が設けられている。搬送路４２の途中に、搬送する紙幣の重送および斜行等を判別する判別部４３が設けられている。
【００４０】
さらに、下層ユニット２６には、出金処理時において搬送路４２で搬送される出金紙幣のうち判別部４３で重送あるいは斜行等と判別された出金紙幣を収納するリジェクト収納部４４が、前方に開閉自在に設けられている。なお、下層ユニット２６の前面には、図１に示すように、リジェクト収納部４４内のリジェクト紙幣を取り外す際に開閉される扉４４ａとこれを開く際に必要なキー４４ｂとが設けられている。
【００４１】
収納繰出部３８ａ〜３８ｃは、それぞれ、一時貯留部３３ａ〜３３ｃのうちの対応する一つから一時貯留紙幣を内部に取り込む略角筒状の筐体４５を有しており、また、筐体４５内に取り込んだ収納紙幣を表裏方向を上下方向にして、上下方向に集積させながら載置させる昇降可能かつ開閉可能な一対の扉式のフラッパ４６，４６とを有している。
【００４２】
フラッパ４６，４６は、筐体４５の前後に互いに平行をなしかつ同高さとなるよう配置されるとともにこの状態でガイド軸４７，４７に沿って一体に昇降する支持軸４８，４８を有しており、これら支持軸４８，４８を中心に揺動する。そして、フラッパ４６，４６は、自身が互いの支持軸４８に対し反対の端部同士を近接させることにより共に筐体４５内で水平配置される閉状態となり、この状態で、一時貯留部３３ａ〜３３ｃの対応する一つから投入された紙幣をその上側に載置させる。また、フラッパ４６，４６は、この閉状態から下方に旋回することで開状態となると、載置させていた紙幣を、筐体４５内のこれらフラッパ４６，４６より下側の出金紙幣収納用の収納空間４９に落とし込んで収納させる。さらに、フラッパ４６，４６は、この開状態から上方に旋回することで閉状態に戻る。なお、収納空間４９の最下部に紙幣を搬送路４２に繰り出すための紙幣繰出部３９が設けられている。
【００４３】
機体１０内における中層ユニット２５および下層ユニット２６の後側には、搬送路２８、搬送路３４Ｂおよび搬送路４２で搬送され対応する紙幣取込部５０から送り込まれる紙幣を一時貯留させる一時貯留部５１ｄ，５１ｅが上下に離間して設けられており、各一時貯留部５１ｄ，５１ｅの下側には、一時貯留部５１ｄ，５１ｅの対応するものに一時貯留された紙幣を受け入れて収納する一方、収納した紙幣を最下のものから紙幣繰出部５４により繰り出し可能な収納繰出部５２ｄ，５２ｅがそれぞれ設けられている。
【００４４】
各一時貯留部５１ｄ，５１ｅとそれぞれの真下の各収納繰出部５２ｄ，５２ｅとで一時貯留・収納繰出部５３ｄ，５３ｅを構成することになり、これら複数具体的には二つの一時貯留・収納繰出部５３ｄ，５３ｅが、上下に重ねられた状態で配置されている。すなわち、一時貯留部５１ｄと収納繰出部５２ｄとが上側の一時貯留・収納繰出部５３ｄを構成し、一時貯留部５１ｅと収納繰出部５２ｅとが下側の一時貯留・収納繰出部５３ｅを構成している。
【００４５】
これら一時貯留・収納繰出部５３ｄ，５３ｅは、幅および奥行きが等しいもので、互いに左右方向および前後方向の位置を合わせた状態で、上下に重ねられるように配置されている。結果的に、これら上下に重ね状態で配置された二つの一時貯留・収納繰出部５３ｄ，５３ｅは、これら一時貯留・収納繰出部５３ｄ，５３ｅ以外のすべての上記した一時貯留・収納繰出部４０ａ〜４０ｃよりも機体１０の後部側に配置されている。これら一時貯留・収納繰出部５３ｄ，５３ｅは、保守時には機体１０からの引き出しが可能とされている。
【００４６】
これら一時貯留・収納繰出部５３ｄ，５３ｅは、それぞれ、搬送路２８あるいは搬送路４２の対応する紙幣取入部５０から対応金種の紙幣を内部に取り込む略角筒状の筐体５５を有しており、また、筐体５５内に取り込んだ一時貯留紙幣を表裏方向を上下方向にして、上下方向に順次集積させながら載置させる高さ位置固定で開閉可能な仕切手段としての一対の扉式のフラッパ５６，５６と、筐体５５のフラッパ５６，５６よりも上側に設けられ、フラッパ５６，５６に載置された一時貯留紙幣を上側から下方に向けて押圧しフラッパ５６，５６を開作動させながら下側に落とし込むプッシャ５７と、筐体５５内のフラッパ５６，５６よりも下側において昇降可能に設けられたエレベータ５８とを有している。ここで、筐体５５内のフラッパ５６，５６より下側かつエレベータ５８より上側の部分が出金用の紙幣を収納する収納空間６１とされている。なお、これら一時貯留・収納繰出部５３ｄ，５３ｅは、紙幣取入部５０側からは紙幣の送り込みのみが可能となっており、紙幣取入部５０側への紙幣の繰り出しは不可となっている。また、収納空間６１の最下部に紙幣を搬送路４２に繰り出すための紙幣繰出部５４が設けられており、この紙幣繰出部５４は、エレベータ５８が最下位置に位置した状態で紙幣を繰り出すようになっている。
【００４７】
そして、フラッパ５６，５６によって筐体５５内の上下方向に連続する空間を上下に区画することになり、これによって、一時貯留・収納繰出部５３ｄにおいては、フラッパの５６，５６の上側の空間を紙幣を一時貯留させる一時貯留部５１ｄの貯留空間６０とするとともに、フラッパ５６，５６の下側の空間を紙幣を収納する収納繰出部５２ｄの収納空間６１とし、プッシャ５７によるこのフラッパ５６，５６の開作動を伴う紙幣の落とし込みにより一時貯留部５１ｄの貯留空間６０から収納繰出部５２ｄの収納空間６１への紙幣の受け渡しを行うようになっている。同様に、一時貯留・収納繰出部５３ｅにおいては、フラッパの５６，５６の上側の空間を紙幣を一時貯留させる一時貯留部５１ｅの貯留空間６０とするとともに、フラッパ５６，５６の下側の空間を紙幣を収納する収納繰出部５２ｅの収納空間６１とし、プッシャ５７によるこのフラッパ５６，５６の開作動を伴う紙幣の落とし込みにより一時貯留部５１ｅの貯留空間６０から収納繰出部５２ｅの収納空間６１への紙幣の受け渡しを行うようになっている。
【００４８】
フラッパ５６，５６は、それぞれ、筐体５５の前後に互いに平行をなしかつ同高さとなるよう配置される位置固定の支持軸６３，６３を有しており、これら支持軸６３，６３を中心に揺動する。そして、フラッパ５６，５６は、支持軸６３に対し反対の端部同士を近接させることにより共に筐体５５内で水平配置される閉状態となり、この状態で、上側の貯留空間６０に投入された紙幣をその上側に載置させる。ここで、フラッパ５６，５６は、閉状態になるように図示せぬバネ等で付勢されている。また、フラッパ５６，５６は、この閉状態から付勢力にこうして下方に旋回することで開状態となると、載置させていた紙幣を下側の収納空間６１に落とし込む。さらに、フラッパ５６，５６は、この開状態から上方に旋回することで閉状態に戻る。
【００４９】
ここで、上下に重ね状態で配置された二つの一時貯留・収納繰出部５３ｄ，５３ｅは、両方とも同一の大きさで構成されているが、その収納部を異なる大きさで構成するようにしても良い。
【００５０】
また、これら二つの一時貯留・収納繰出部５３ｄ，５３ｅのそれぞれの上下方向長さは、これら一時貯留・収納繰出部５３ｄ，５３ｅ以外の上記した一時貯留・収納繰出部４０ａ〜４０ｃの上下方向長さよりも小さく設定されており、幅および奥行きは同等に設定されている。その結果、これら一時貯留・収納繰出部５３ｄ，５３ｅの収納繰出部５２ｄ，５２ｅは、それぞれ、これら以外の一時貯留・収納繰出部４０ａ〜４０ｃの収納繰出部３８ａ〜３８ｃのいずれよりも紙幣の収納容量が少なくなっている。
【００５１】
さらに、これら二つの一時貯留・収納繰出部５３ｄ，５３ｅを合わせた全体の上下方向長さは、これら以外の上記した一時貯留・収納繰出部４０ａ〜４０ｃのそれぞれの上下方向長さとほぼ同等とされており、上側の一時貯留・収納繰出部５３ｄの最上部の高さ位置は、一時貯留・収納繰出部４０ａ〜４０ｃの最上部の高さ位置に対し同等以下、具体的には同高さ位置に設定されている。
【００５２】
また、これら二つの一時貯留・収納繰出部５３ｄ，５３ｅは、これら以外のすべての一時貯留・収納繰出部４０ａ〜４０ｃとともに、左右方向の位置を合わせた状態で機体１０の前後方向に配列されている。
【００５３】
さらに、これら二つの一時貯留・収納繰出部５３ｄ，５３ｅは、これら以外のすべての一時貯留・収納繰出部４０ａ〜４０ｃよりも機体１０の後部側に配置されている。
【００５４】
加えて、これら二つの一時貯留・収納繰出部５３ｄ，５３ｅは金種別のものであり、これら二つの一時貯留・収納繰出部５３ｄ，５３ｅのうちの一つである上側の一時貯留・収納繰出部５３ｄは流通量の少ない二千券（二千円札）用とされ、他の一つである下側の一時貯留・収納繰出部５３ｅは流通量の少ない五千券（五千円札）用とされている。
【００５５】
ここで、中層ユニット２５および下層ユニット２６が共に機体１０に装填された装填状態にある位置関係のとき、中層ユニット２５の搬送路３４Ａは、下層ユニット２６の搬送路４２から、その短手方向を搬送方向に沿わせた姿勢で、下から上に送り出される紙幣を受け入れて、その姿勢のまま、下から上に送り、上層ユニット２４の搬送路２８に受け渡す。言い換えれば、中層ユニット２５および下層ユニット２６は、共に機体１０に装填された装填状態の位置関係（所定の位置関係）にあるとき、互いの搬送路４２，３４Ａ同士の間で、引き出しおよび装填時の相対移動方向（具体的には上下方向）に交差する方向（具体的には鉛直方向）に、該方向に短手方向を沿わせた姿勢で紙幣が一枚ずつ受け渡されることになる。
【００５６】
そして、本実施形態においては、一方の中層ユニット２５の搬送路３４Ａを、中層ユニット２５および下層ユニット２６が共に機体１０に装填された装填状態の位置関係にあるとき、他方の下層ユニット２６側に突出させる一方、中層ユニット２５および下層ユニット２６同士の、この位置関係からの相対移動時にこの相対移動に連動して中層ユニット２５側に退避させる突出・退避機構部１００が設けられている。
【００５７】
この突出・退避機構部１００について図５〜図８を主に参照して説明する。
まず、下層ユニット２６の上端面のガイド部１０２においては、前後方向における所定の位置に下方に凹む凹部１０３が形成されており、この凹部１０３の前後が、凹部１０３よりも高い直線状の平面部１０４とされている。
【００５８】
また、下層ユニット２６の上部側の搬送路４２は、間に紙幣を通過させることで、この紙幣を案内して中層ユニット２５側に受け渡すための一対の固定ガイド部材１０５，１０６と、これら固定ガイド部材１０５，１０６間に案内される紙幣を上側に送り出す一対の搬送ローラ１０７，１０８と、搬送ローラ１０７と一体に回転する動力伝達ギア１０９と、この動力伝達ギア１０９に噛み合う動力伝達ギア１１０と、さらにこの動力伝達ギア１１０に噛み合う動力伝達ギア１１１とが設けられている。
【００５９】
中層ユニット２５は、一時貯留部３３ａ〜３３ｃが設けられる中層ユニット本体１１２と、この中層ユニット本体１１２の前端部に設けられ、この中層ユニット本体１１２の前端上部に左右方向に沿って設けられた回動軸１１３を中心に回動可能な回動部１１４とを有している。
【００６０】
中層ユニット本体１１２の前部には、上部に左右方向かつ鉛直方向に沿う鉛直案内板部１１６を有するとともに、下部に下端側ほど後方に位置するように傾斜する傾斜案内板部１１７を有する固定ガイド部材１１８が固定されている。
【００６１】
また、中層ユニット本体１１２の前部には、この固定ガイド部材１１８の鉛直案内板部１１６の後側に、左右方向に沿って支持軸１２０が設けられており、この支持軸１２０には、端部に動力伝達ギア支持部材１２１が回動自在に支持されている。また、支持軸１２０には、中央部に、鉛直案内板部１１６よりも前側に一部が突出するように搬送ローラ１２２が支持されており、さらに搬送ローラ１２２を回転させる動力伝達ギア１２３が搬送ローラ１２２と一体回転するように端部に支持されている。
【００６２】
動力伝達ギア支持部材１２１には、動力伝達ギア１２３よりも下側位置に、この動力伝達ギア１２３に常時噛み合う動力伝達ギア（動力伝達部材）１２４が回転可能に支持されている。加えて、動力伝達ギア支持部材１２１には、前端上部に係止ピン１２５が固定されており、この係止ピン１２５には、この係止ピン１２５を前方に引っ張るバネ部材１２６の一端部が係止されている。さらに、動力伝達ギア支持部材１２１の下端縁部には、傾斜するガイド面１２７が形成されている。
【００６３】
中層ユニット本体１１２の動力伝達ギア支持部材１２１よりも後方の下部には、左右方向に沿う支持軸１２９が設けられており、この支持軸１２９には、前方に延出するようにアーム１３０が回動可能に支持されている。このアーム１３０の前端部には、左右方向に沿う支持軸１３１が設けられており、この支持軸１３１には、動力伝達ギア支持部材１２１のガイド面１２７に当接する当接ローラ１３２と、当接ローラ１３２より大径のガイドローラ（作動部材）１３３とが回転可能に支持されている。
【００６４】
回動部１１４は、通常、最も中層ユニット本体１１２側に位置する閉状態で使用され、メンテナンス時等の特別の場合のみ、回動させられて開状態とされるものである。この回動部１１４を、その閉状態をもってさらに説明する。
【００６５】
回動部１１４は、固定ガイド部材１１８の上部の鉛直案内板部１１６に平行に配置される鉛直案内板部１３５と、この鉛直案内板部１３５の下側に連続して設けられ下端側ほど前方に位置するように傾斜する傾斜案内板部１３６と、この傾斜案内板部１３６の下側に連続して鉛直案内板部１３５と平行に設けられた鉛直案内板部１３７とを有する上側ガイド部材１３８を備えている。この上側ガイド部材１３８には、左右方向に沿うガイド突起１３９，１４０が上下に二箇所設けられている。
【００６６】
また、回動部１１４は、この上側ガイド部材１３８の上下二箇所のガイド突起１３９，１４０をそれぞれ挿通させる上下に長い二箇所の長穴１４２，１４３を有する下側ガイド部材１４４を有している。この下側ガイド部材１４４は、上側ガイド部材１３８の鉛直案内板部１３７の後側位置にこれと平行に配置される鉛直案内板部１４５と、この鉛直案内板部１４５の下側に連続して設けられ下端側ほど前方に位置するように傾斜する傾斜案内板部１４６とを有している。そして、この傾斜案内板部１４６の前側には、上記した当接ローラ１３２を下側に当接させる当接面１４７が形成されている。図７に示すように、この下側ガイド部材１４４の上端部と上側ガイド部材１３８の下端部とには、バネ部材１４９が介装されている。このバネ部材１４９は、下側ガイド部材１４４を下方向に付勢するものである。
【００６７】
回動部１１４の上側ガイド部材１３８には、鉛直案内板部１３７の前側に、左右方向に沿う支持軸１５０が設けられており、この支持軸１５０には、中央部に、鉛直案内板部１３７よりも後側に一部が突出して、上記した搬送ローラ１２２と当接可能に搬送ローラ１５１が支持されている。この搬送ローラ１５１は、搬送ローラ１２２に直接または紙幣を介して接触することでこの搬送ローラ１２２に対し連れ回りするものである。
【００６８】
上記したガイドローラ１３３は、中層ユニット２５および下層ユニット２６の前後方向への相対移動時に下層ユニット２６の上端のガイド部１０２に沿って転がりながら案内されるもので、凹部１０３内に入り込んだとき、アーム１３０を回動させながら位置が下がる。このとき、当接ローラ１３２も位置が下がり、この当接ローラ１３２にガイド面１２７において当接している動力伝達ギア支持部材１２１は、バネ部材１２６の付勢力により動力伝達ギア１２４を最も下側に位置させる。さらに、下側ガイド部材１４４は、バネ部材１４９の付勢力により長穴１４２，１４３の範囲内で最も下側に位置することになる。
【００６９】
この状態で、動力伝達ギア１２４は、下層ユニット２６側に突出し、下層ユニット２６の動力伝達ギア１１１に噛み合うことになり、この動力伝達ギア１１１から伝達される駆動力で回転可能となる。なお、回転時に、動力伝達ギア１１１は、下層ユニット２６の動力伝達ギア１１０，１０９を回転させ、搬送ローラ１０７，１０８を回転させるとともに、動力伝達ギア１２４，１２３を回転させて、搬送ローラ１２２，１５１を回転させる。その結果、下層ユニット２６の固定ガイド部材１０５，１０６間で案内される紙幣を下層ユニット２６において搬送ローラ１０７，１０８で下から上へと送り、この送られた紙幣を、中層ユニット２５の固定ガイド部材１１８の傾斜案内板部１１７および鉛直案内板部１１６と、下側ガイド部材１４４および上側ガイド部材１３８の、傾斜案内板部１４６、鉛直案内板部１４５、鉛直案内板部１３７、傾斜案内板部１３６および鉛直案内板部１３５との間で案内しつつ搬送ローラ１２２，１５１でさらに上層ユニット２４に送る。
【００７０】
また、ガイドローラ１３３が凹部１０３内に入り込んだとき、下側ガイド部材１４４は、バネ部材１４９で付勢され下側に位置してその傾斜案内板部１４６を下層ユニット２６側に突出させることになる。その結果、下層ユニット２６側に突出した下側ガイド部材１４４は、下層ユニット２６の搬送路４２の固定ガイド部材１０５，１０６に近接することになる。なお、この状態で、下側ガイド部材１４４の傾斜案内板部１４６は、例えば、固定ガイド部材１０６の上部延長線上に配置されることになる。
【００７１】
一方、ガイドローラ１３３は、図６に示すように、ガイド部１０２の凹部１０３から外側の平面部１０４に載り上げると、アーム１３０を回動させながら位置が上がる。このとき、当接ローラ１３２も位置が上がり、この当接ローラ１３２にガイド面１２７において当接している動力伝達ギア支持部材１２１は、バネ部材１２６の付勢力に抗して回転し動力伝達ギア１２４を最も上側に位置させることになる。同時に、当接ローラ１３２の上昇でこれが下側ガイド部材１４４の当接面１４７に当接し、この下側ガイド部材１４４を、長穴１４２，１４３をガイド突起１３９，１４０で案内しつつ最も上側に位置させることになる。この状態で、動力伝達ギア１２４および下側ガイド部材１４４は、中層ユニット２５側に入り込んで、中層ユニット２５を下層ユニット２６に対し移動させても、下層ユニット２６に干渉しない位置に退避する。
【００７２】
ここでは、突出・退避機構部１００は、ガイド部１０２、支持軸１２０、動力伝達ギア支持部材１２１、バネ部材１２６、アーム１３０、ガイドローラ１３３、当接ローラ１３２、下側ガイド部材１４４、バネ部材１４９等で構成されている。
【００７３】
なお、ガイドローラ１３３が、下層ユニット２６よりも前方に位置すると、ガイド部１０２から離れて下がり、その結果、動力伝達ギア１２４および下側ガイド部材１４４も中層ユニット２５から下方に突出することになるが、下方には、下層ユニット２６が存在しないので、当然のことながら、これら動力伝達ギア１２４および下側ガイド部材１４４が下層ユニット２５に干渉することはない。
【００７４】
他方、図８に示すように、メンテナンス等で回動部１１４が開状態とされると、回動部１１４に設けられた上側ガイド部材１３８、下側ガイド部材１４４および搬送ローラ１５１等が、中層ユニット本体１１２に対し離れ、上側ガイド部材１３８および下側ガイド部材１４４と、固定ガイド部材１１８との間が開放される。
【００７５】
以上に述べた紙幣入出金部１１の各処理について説明する。
【００７６】
「入金処理（入金確定前）」
オペレータにより入金させる紙幣が紙幣入金口２１にセットされ操作部１４に「入金処理」の実行入力がなされると、図示せぬ制御部は、紙幣入金口２１により、紙幣を一枚ずつ分離して繰り出させることになり、繰り出された紙幣を、搬送路２８および紙幣取入部３２の所定部分で構成される図９に太線で示す入金処理ルートで搬送させ、その途中の識別部２９の識別結果に基づいて振り分ける。すなわち、識別不能（偽、重送、斜行等）とされた紙幣は紙幣出金口２０に送り出され、真かつ汚損と識別された紙幣と、一時貯留・収納繰出部４０ｂ，４０ｃに収納しきれない真かつ正の紙幣とが、一時貯留・収納繰出部４０ａの一時貯留部３３ａに紙幣取入部３２から送り込まれ、真かつ正と識別された紙幣は、適宜表裏反転部３０を通過させることで表裏が取り揃えられた後、一時貯留・収納繰出部４０ａ〜４０ｃの一時貯留部３３ａ〜３３ｃの対応する一つに、それぞれの紙幣取入部３２から送り込まれる。このとき、一時貯留部３３ａ〜３３ｃは、それぞれ、シャッタ３６，３６が閉状態とされており、紙幣取入部３２から送り込まれた紙幣をシャッタ３６，３６の上側の貯留空間３７に一時貯留させる。
【００７７】
具体的には、真かつ正と識別された紙幣のうち、万券は万券用の一時貯留・収納繰出部４０ｂの一時貯留部３３ｂに一時貯留され、千券は千券用の一時貯留・収納繰出部４０ｃの一時貯留部３３ｃに一時貯留される。ここで、これら以外の二千券および五千券は、混合状態で一時貯留・収納繰出部４０ａの一時貯留部３３ａに一時貯留される。さらに、一時貯留・収納繰出部４０ａの一時貯留部３３ａには、上記したように、真かつ汚損の各紙幣と、一時貯留・収納繰出部４０ｂ，４０ｃに収納しきれない真かつ正の紙幣も送り込まれる。
【００７８】
そして、紙幣入金口２１からすべての紙幣が一旦繰り出され、紙幣出金口２０および一時貯留・収納繰出部４０ａ〜４０ｃの一時貯留部３３ａ〜３３ｃのいずれかに送り込まれると、制御部は、閉状態にあった紙幣出金口２０のシャッタ２２を開作動させるとともに、識別部２９の識別結果を図示せぬ上位機に表示させる。この上位機の表示からオペレータが入金確定操作を上位機または操作部１４に入力すると、制御部は、後述の「収納処理」を行うことになる。この場合、万券は万券用の一時貯留・収納繰出部４０ｂにおいて一時貯留部３３ｂから収納繰出部３８ｂに収納され、千券は千券用の一時貯留・収納繰出部４０ｃにおいて一時貯留部３３ｃから収納繰出部３８ｃに収納されることになるが、それ以外の二千券および五千券は、一時貯留・収納繰出部５３ｄ，５３ｅが紙幣の返却処理に適していないことから、混合状態で、返却処理に適した一時貯留・収納繰出部４０ａにおいて一時貯留部３３ａから収納繰出部３８ａに一時貯留される。すなわち、二千券および五千券は、「入金処理」から「収納処理」の流れでは、それら用の収納繰出部５２ｄ，５２ｅには収納されず、後述する「内部充填分配補充処理」および「収納処理」によって収納繰出部５２ｄ，５２ｅに収納される。他方、オペレータが入金キャンセル操作を上位機または操作部１４に入力すると、制御部は、後述の「返却処理」を行うことになる。
【００７９】
「出金処理」
オペレータにより上位機または操作部１４に「出金処理」の実行入力がなされると、制御部は、金種別の一時貯留・収納繰出部４０ｂ，４０ｃ，５３ｄ，５３ｅのそれぞれの収納繰出部３８ｂ，３８ｃ，５２ｄ，５２ｅに収納させていた紙幣を紙幣繰出部３９，５４で最下のものから一枚ずつ分離して繰り出させ、搬送路４２，３４Ａ，２８の所定部分で構成される図１０に太線で示す出金処理ルートに沿って搬送させ、その途中の判別部４３の判別結果に基づいて振り分ける。すなわち、判別部４３で重送または斜行と判定された搬送異常紙幣はリジェクト収納部４４に送り込まれ、判別部４３で正常と判別された紙幣は、紙幣出金口２０に送り出され、さらに、判別部４３で金種的あるいは枚数的に出金紙幣に含まれないと判別された紙幣は、運用カセットとしての一時貯留・収納繰出部４０ａの一時貯留部３３ａに一時貯留させる。そして、出金用に繰り出されたすべての紙幣が、リジェクト収納部４４、紙幣出金口２０および一時貯留部３３ａに送り込まれると、一時貯留部３３ａは、シャッタ３６，３６を開作動させて、閉状態にある収納繰出部３８ａのフラッパ４６，４６上に紙幣を落とし込む。なお、フラッパ４６，４６上に載置された紙幣は、適宜のタイミングでフラッパ４６，４６から下方に落とし込まれる。
【００８０】
ここで、搬送路４２から搬送路３４Ａ、さらには搬送路２８への紙幣の受け渡しは、ガイドローラ１３３が下層ユニット２６の凹部１０３に入り込んでいることから、下層ユニット２６側の動力伝達ギア１１１が、これに常時噛み合う下層ユニット２６の動力伝達ギア１１０，１０９を回転させ、搬送ローラ１０７，１０８を回転させるとともに、下方に位置しこの動力伝達ギア１１１に噛み合っている動力伝達ギア１２４を回転させ、さらに動力伝達ギア１２３を介して搬送ローラ１２２，１５１を回転させる。その結果、下層ユニット２６の固定ガイド部材１０５，１０６間で案内される紙幣を下層ユニット２６において下から上へと送り、この送られた紙幣を、下層ユニット２６の固定ガイド部材１０５，１０６に近接するように下層ユニット２６側に突出している中層ユニット２５の下側ガイド部材１４４および上側ガイド部材１３８の、傾斜案内板部１４６、鉛直案内板部１４５、鉛直案内板部１３７、傾斜案内板部１３６および鉛直案内板部１３５と、固定ガイド部材１１８の傾斜案内板部１１７および鉛直案内板部１１６との間で案内しつつ、さらに上層ユニット２４に送る。
【００８１】
「内部充填分配補充処理」
「入金処理」により収納繰出部３８ａに収納された紙幣（主として二千券および五千券）を、金種別の一時貯留・収納繰出部４０ｂ，４０ｃ，５３ｄ，５３ｅに紙幣を補充する場合には、操作部１４に「内部充填分配補充処理」の実行入力がなされると、図示せぬ制御部は、収納繰出部３８ａから、最下の紙幣を一枚ずつ分離して繰り出させることになり、繰り出された紙幣を、搬送路２８，３４Ａ，４２および紙幣取入部３２の所定部分で構成される図１１に太線で示す内部充填分配補充処理ルートで搬送させ、その途中の判別部４３の判別結果および識別部２９の鑑別結果に基づいて振り分ける。
【００８２】
すなわち、判別部４３で判別不能（重送、斜行等）とされた紙幣は、入金処理時に偽券でないことがすでに確認されているため、リジェクト収納部４４に送り込まれ、汚損と識別された紙幣は、一時貯留・収納繰出部４０ａの一時貯留部３３ａに紙幣取入部３２から送り込まれる。このとき、一時貯留部３３ａは、シャッタ３６，３６が閉状態とされており、紙幣取入部３２から送り込まれた紙幣をシャッタ３６，３６の上側の貯留空間３７に一時貯留させることになる。そして、それ以外の紙幣は適宜表裏反転部３０を通過させることで表裏が取り揃えられた後、金種別の一時貯留部３３ｂ，３３ｃ，５１ｄ，５１ｅの対応する一つに、それぞれの紙幣取入部３２，５０から送り込まれる。このとき、一時貯留部３３ｂ，３３ｃは、それぞれ、シャッタ３６，３６が閉状態とされており、紙幣取入部３２から取り入れた紙幣をシャッタ３６，３６の上側の貯留空間３７に一時貯留させることになり、一時貯留部５１ｄ，５１ｅは、それぞれ、フラッパ５６，５６が閉状態とされており、紙幣取入部５０から取り入れた紙幣をフラッパ５６，５６の上側の貯留空間６０に一時貯留させることになる。
【００８３】
具体的には、万券は万券用の一時貯留・収納繰出部４０ｂの一時貯留部３３ｂに一時貯留され、千券は千券用の一時貯留・収納繰出部４０ｃの一時貯留部３３ｃに一時貯留され、二千券は一時貯留・収納繰出部５３ｄの一時貯留部５１ｄに一時貯留され、五千券は一時貯留・収納繰出部５３ｅの一時貯留部５１ｅに一時貯留される。また、一時貯留・収納繰出部４０ａの一時貯留部３３ａには、入金処理によって真かつ汚損の各紙幣が収納されるため、このような紙幣は、再び、一時貯留・収納繰出部４０ａの一時貯留部３３ａに送り込まれる。なお、入金時の二千券および五千券は返却処理に対応するために一旦混合状態で一時貯留・収納繰出部４０ａに収納されることになり、その後、このような「内部充填分配補充処理」で出金用に各一時貯留・収納繰出部５３ｄ，５３ｅにそれぞれ分配されるのである。
【００８４】
このようにして、順次、収納繰出部３８ａに収納されている紙幣が、一時貯留部３３ｂ，３３ｃ，５１ｄ，５１ｅに送り込まれ、そのうちのいずれか一つが満杯となると、制御部は、一旦、収納繰出部３８ａからの紙幣の繰り出しを停止し、一時貯留部３３ｂ，３３ｃについてはシャッタ３６，３６を開作動させ、それ自身またはそれに載置された紙幣をシャッタ３６，３６に近接させて閉状態で待機している収納繰出部３８ｂ，３８ｃのフラッパ４６，４６に紙幣を受け渡し、フラッパ４６，４６をその上に載置された紙幣がシャッタ３６，３６に干渉しない位置まで下降させて、シャッタ３６，３６を閉作動させ一時貯留部３３ｂ，３３ｃを空にする。一方、一時貯留部５１ｄ，５１ｅについては、エレベータ５８をすでに収納している紙幣がフラッパ５６，５６に干渉しない位置まで上昇させた状態とし、この状態でプッシャ５７で押し込むことによりフラッパ５６，５６を開作動させつつ紙幣をエレベータ５８上に受け渡し、その後、エレベータ５８を紙幣がフラッパ５６，５６に干渉しない位置まで下降させ、プッシャ５７を上昇させることにより、フラッパ５６，５６を閉作動させる。なお、以上の動作を一時貯留部３３ｂ，３３ｃ，５１ｄ，５１ｅのうち満杯になった一つについてのみ行うようにしてもよいが、収納繰出部３８ａからの繰り出し中断の回数を減らすために、上記のように満杯になっていないものも含めてすべてについて行うようにする。
【００８５】
そして、一時貯留部３３ｂ，３３ｃのシャッタ３６，３６の閉作動および一時貯留部５１ｄ，５１ｅのフラッパ５６，５６の閉作動が完了すると、制御部は、再び収納繰出部３８ａの収納空間４９から紙幣繰出部３９により紙幣を繰り出させ、紙幣の分配補充を再開する。
【００８６】
以上を繰り返して、収納繰出部３８ａの収納空間４９からすべての紙幣が一旦繰り出され、リジェクト収納部４４および一時貯留・収納繰出部４０ａ〜４０ｃ，５３ｄ，５３ｅの一時貯留部３３ａ〜３３ｃ，５１ｄ，５１ｅのいずれかに送り出されると、制御部は、補充処理が完了した旨を識別部２９の識別結果とともに図示せぬ上位機に表示させる。この上位機の表示からオペレータが補充完了確認操作を上位機または操作部１４に入力すると、制御部は、後述の「収納処理」を行うことになる。
【００８７】
なお、この貨幣入出金機においては、紙幣を補充する場合に、上記以外にも金種別の一時貯留・収納繰出部４０ｂ，４０ｃ，５３ｄ，５３ｅに紙幣を紙幣入金口２１から補充する「入金口分配補充処理」や、機体１０外において補充紙幣を収納繰出部３８ａに充填しこれを機体１０に装填して同様の分配補充処理を行う「外部充填分配補充処理」を行うことも可能となっている。
【００８８】
「収納処理」
一時貯留・収納繰出部４０ａ〜４０ｃ，５３ｄ，５３ｅにおいて、一時貯留部３３ａ〜３３ｃ，５１ｄ，５１ｅに一時貯留させた紙幣等を収納繰出部３８ａ〜３８ｃ，５２ｄ，５２ｅの収納空間４９，６１に収納させる。
【００８９】
すなわち、上記した「入金処理」で入金確定操作が入力された場合、および上記した「内部充填分配補充処理」で補充完了確認操作が入力された場合は、制御部が、一時貯留部３３ａ〜３３ｃ，５１ｄ，５１ｅの紙幣を収納繰出部３８ａ〜３８ｃ，５２ｄ，５２ｅに、図１２に太線で示す収納処理ルートのように、一時貯留部３３ａ〜３３ｃのそれぞれのシャッタ３６，３６を開作動させ、シャッタ３６，３６にそれ自身またはそれに載置されている紙幣の上部を近接させて待機している収納繰出部３８ａ〜３８ｃの閉状態のフラッパ４６，４６に紙幣を受け渡す。続いて、制御部は、フラッパ４６，４６をその上に載置された紙幣がシャッタ３６，３６に干渉しない位置まで下降させて、シャッタ３６，３６を閉作動させる。さらに、フラッパ４６，４６を既に収納空間４９に収納されている紙幣量に干渉しない範囲で下げて開作動させ、フラッパ４６，４６からすでに収納空間４９に収納されている紙幣の上に紙幣を受け渡す。その後、フラッパ４６，４６を上部待機位置まで上昇させて、閉作動させる。
【００９０】
また、制御部は、これと同時に、収納繰出部５２ｄ，５２ｅのそれぞれについて、既に収納空間６１に収納されている紙幣量に応じた高さまでエレベータ５８を上昇させた後、一時貯留部５１ｄ，５１ｅのそれぞれのプッシャ５７を下降させ、フラッパ５６，５６上の紙幣を下方に押圧しフラッパ５６，５６を開作動させながら、紙幣を収納空間６１に既に収納されているエレベータ５８上の紙幣の上に受け渡す。その後、エレベータ５８を最下位置まで下げる。
【００９１】
「整理計数処理」
複数金種混在した紙幣から指定した金種を計数しつつ分離する場合等の処理で、オペレータにより紙幣が紙幣入金口２１にセットされ操作部１４に「整理計数処理」の実行入力がなされると、図示せぬ制御部は、紙幣入金口２１により、紙幣を一枚ずつ分離して繰り出させることになり、繰り出された紙幣を、搬送路２８および紙幣取入部３２の所定部分で構成される図１３に太線で示す整理計数処理ルートで搬送させ、その途中の識別部２９の識別結果に基づいて振り分ける。
【００９２】
すなわち、識別不能（偽、重送、斜行等）とされた紙幣と、真かつ汚損と識別された紙幣と、真かつ正で指定されていない金種の紙幣と、真かつ正で指定された金種であって一時貯留部３３ａ〜３３ｃの対応するものに貯留しきれない分の紙幣とが紙幣出金口２０に送り出され、真かつ正の紙幣のうち、指定された金種のものが、適宜表裏反転部３０を通過することで表裏が取り揃えられた後、金種別に、一時貯留部３３ａ〜３３ｃの対応するものに、それぞれの紙幣取入部３２から送り込まれる。このとき、一時貯留部３３ａ〜３３ｃは、それぞれ、シャッタ３６，３６が閉状態とされており、紙幣取入部３２から送り込まれた紙幣をシャッタ３６，３６の上側の貯留空間３７に一時貯留させる。
【００９３】
具体的には、例えば、千券、二千券および五千券を整理計数する場合には、真かつ正と識別された紙幣のうち、指定されていない万券は、紙幣出金口２０に送り出され、二千券は一時貯留・収納繰出部４０ａの一時貯留部３３ａに貯留され、千券は一時貯留・収納繰出部４０ｂの一時貯留部３３ｂに貯留され、五千券は一時貯留・収納繰出部４０ｃの一時貯留部３３ｃに一時貯留される。
【００９４】
そして、紙幣入金口２１からすべての紙幣が一旦繰り出され、紙幣出金口２０および一時貯留部３３ａ〜３３ｃのいずれかに送り込まれると、制御部は、閉状態にあった紙幣出金口２０のシャッタ２２を開作動させるとともに、整理計数処理が完了した旨を識別部２９の識別結果とともに図示せぬ上位機に表示させる。この表示からオペレータが整理計数完了確認操作を上位機または操作部１４に入力すると、制御部は、後述の「返却処理」を行うことになる。
【００９５】
「返却処理」
上記「入金処理」の結果の上位機の表示に基づいてオペレータが入金キャンセル操作を上位機または操作部１４に入力した場合、および、上記「整理計数処理」が完了した旨の上位機の表示からオペレータが整理計数完了確認操作を上位機または操作部１４に入力した場合、制御部は、返却処理を許可し、中層ユニット２５の機体１０からの引き出しを可能とする。
【００９６】
この返却処理を許可した時点（このとき一時貯留部３３ａ〜３３ｃのいずれかに紙幣が存在する）において、制御部は、中層ユニット２５の左右両側の取っ手８１にそれぞれ近接して設けられたランプ８９のうち現在占有状態にあるオペレータ側の一方のランプ８９を点灯または点滅させる。
【００９７】
すなわち、制御部は、上記「入金処理」あるいは上記「整理計数処理」が、左右いずれの操作部１４からの操作入力で実行されているものであるかを認識しており、例えば、左側のオペレータにより操作が行われる左側の操作部１４への入力で上記入金処理あるいは上記整理計数処理が行われ、今回がこれに一連する返却処理である場合には、左右のランプ８９のうち左側のランプ８９のみを点灯または点滅させる一方、右側のオペレータにより操作が行われる右側の操作部１４への入力で上記入金処理あるいは上記整理計数処理が行われ、今回がこれに一連する返却処理である場合には左右のランプ８９のうち右側のランプ８９のみを点灯または点滅させる。
【００９８】
これにより、オペレータは、貨幣入出金機が自分に占有状態にあることを自分側のランプ８９の点灯または点滅で認識しつつ、このランプ８９に近接する取っ手８１に手先を掛け、引くことにより、図３および図１４に示すよう中層ユニット２５を引き出して一時貯留部３３ａ〜３３ｃから紙幣を取り出すことになる。
【００９９】
このように、下層ユニット２６はそのままで中層ユニット２５を手前に引き出すと、中層ユニット２５に設けられたガイドローラ１３３が、下層ユニット２６のガイド部１０２の凹部１０３から外側の平面部１０４に載り上げることになり、ガイドローラ１３３は、アーム１３０を回動させながら位置が上がる。このとき、当接ローラ１３２も位置が上がり、この当接ローラ１３２にガイド面１２７において当接している動力伝達ギア支持部材１２１は、バネ部材１２６の付勢力に抗して回転し動力伝達ギア１２４を最も上側に位置させることになり、当接ローラ１３２に当接面１４７で当接する下側ガイド部材１４４も、長穴１４２，１４３がガイド突起１３９，１４０で案内されることにより最も上側に位置することになる。この状態で、動力伝達ギア１２４および下側ガイド部材１４４は、中層ユニット２５側に入り込んで退避することになり、中層ユニット２５を下層ユニット２６に対し引き出すように移動させても、動力伝達ギア１２４および下側ガイド部材１４４が下層ユニット２６に干渉することはない。
【０１００】
そして、中層ユニット２５の引き出しによりガイドローラ１３３が、下層ユニット２６よりも前方まで移動すると、ガイド部１０２から離れて下がり、その結果、動力伝達ギア１２４および下側ガイド部材１４４も中層ユニット２５から下方に突出することになるが、下方には、下層ユニット２６が存在しないので、当然のことながら、これら動力伝達ギア１２４および下側ガイド部材１４４が下層ユニット２５に干渉することはない。
【０１０１】
以上のようにして、中層ユニット２５を引き出して一時貯留部３３ａ〜３３ｃから紙幣を取り出した後、中層ユニット２５を機体１０に再装填させる際には、ガイドローラ１３３が一旦ガイド部１０２の平面部１０４に載り上げ、動力伝達ギア１２４および下側ガイド部材１４４を中層ユニット２５内に退避させた状態で、中層ユニット２５が下層ユニット２６と同じように機体１０に装填されることになり、中層ユニット２５が機体１０に完全に装填されると、ガイドローラ１３３がガイド部１０２の凹部１０３に入り込み、動力伝達ギア１２４が下層ユニット２６側に突出して動力伝達ギア１１１に噛み合うとともに、下側ガイド部材１４４も下層ユニット２６側に突出して固定ガイド部材１０５，１０６に近接する。
【０１０２】
なお、上記以外にも、貨幣入出金機は、一時貯留・収納繰出部４０ａ〜４０ｃ，５３ｄ，５３ｅの紙幣を確定する精査処理や機体１０内の紙幣を回収する回収処理等を行うことになる。
【０１０３】
以上に述べたように、本実施形態の貨幣入出金機によれば、その紙幣入出金部１１において、一対の中層ユニット２５および下層ユニット２６同士が、紙幣が一枚ずつ受け渡される、共に機体１０に装填された位置関係にあるとき、突出・退避機構部１００は、ガイドローラ１３３が凹部１０３に入り込むことで中層ユニット２５の搬送路３４Ａの下側ガイド部材１４４を、下層ユニット２６側に突出させることで、中層ユニット２５の搬送路３４Ａの下側ガイド部材１４４と下層ユニット２６の固定ガイド部材１０５，１０６とを近接させるとともに、動力伝達ギア１２４を、下層ユニット２６側に突出させることで、この下層ユニット２６側から駆動力の伝達を可能とする。
【０１０４】
一方、中層ユニット２５および下層ユニット２６同士が、紙幣が一枚ずつ受け渡される、共に機体１０に装填された位置関係から、例えば、中層ユニット２５のみが引き出される相対移動時に、突出・退避機構部１００は、中層ユニット２５の搬送路３４Ａの下側ガイド部材１４４および動力伝達ギア１２４を、この相対移動に連動して中層ユニット２５側に退避させることで、中層ユニット２５の搬送路３４Ａの下側ガイド部材１４４および動力伝達ギア１２４の下層ユニット２６への干渉を回避することになる。
【０１０５】
したがって、中層ユニット２５の搬送路３４Ａの下側ガイド部材１４４および動力伝達ギア１２４を下層ユニット２６側に突出させることを可能とした上で、これら中層ユニット２５および下層ユニット２６同士を相対移動可能にすることができる。
【０１０６】
しかも、特別な駆動源等を設けることなく、中層ユニット２５および下層ユニット２６同士の相対移動に伴うガイド部１０２に倣ったガイドローラ１３３の移動を利用して中層ユニット２５の搬送路３４Ａの下側ガイド部材１４４および動力伝達ギア１２４を突出・退避させることができるため、コストを低減することができる。
【０１０７】
加えて、下側ガイド部材１４４および動力伝達ギア１２４をこれらに共用のガイドローラ１３３で移動させることができるため、コストを低減することができる。
【０１０８】
さらに、突出・退避機構部１００は、紙幣が下から上方向に搬送される部分である、中層ユニット２５の搬送路３４Ａの下側ガイド部材１４４を下層ユニット２６の搬送路４２の固定ガイド部材１０５，１０６に近接させるため、重力の影響で先端部がより曲がりやすく、紙幣が良好に案内されずにジャム等を生じやすい搬送に対して、突出・退避機構部１００が、中層ユニット２５の搬送路３４Ａおよび下層ユニット２６の搬送路４２同士を近接させることになる。したがって、紙幣をさらに良好に受け渡すことができる。
【０１０９】
なお、以上においては、下層ユニット２６から紙幣が送られる中層ユニット２５に突出・退避機構部１００を設ける場合を例にとり説明したが、これに限定されることなく、種々の相対移動可能なユニット同士の紙幣受け渡し部分に適用可能である。
【０１１０】
【発明の効果】
以上詳述したように、本発明の請求項１記載の紙幣入出金機によれば、一対のユニット同士が、紙幣が一枚ずつ受け渡される所定の位置関係にあるとき、突出・退避機構部は、一方のユニットの搬送路を、他方のユニット側に突出させることで、これらユニットの搬送路同士を近接させることになる。一方、ユニット同士の所定の位置関係からの相対移動時に、突出・退避機構部は、一方のユニットの搬送路を、該相対移動に連動して一方のユニット側に退避させることで、相対移動時における一方のユニットの搬送路の他方のユニットへの干渉を回避することになる。したがって、一方のユニットの搬送路を他方のユニット側に突出させることを可能とした上で、これらユニット同士を相対移動可能にすることができる。
【０１１１】
本発明の請求項２記載の紙幣入出金機によれば、紙幣が下から上方向に搬送されるため、重力の影響で先端部がより曲がりやすく、紙幣が良好に案内されずにジャム等を生じやすい搬送に対して、突出・退避機構部が、ユニットの搬送路同士を近接させることになる。したがって、紙幣をさらに良好に受け渡すことができる。
【０１１２】
本発明の請求項３記載の紙幣入出金機によれば、一対のユニット同士が、紙幣が一枚ずつ受け渡される所定の位置関係にあるとき、突出・退避機構部は、作動部が、他方のユニットに設けられたガイド部の凹部に入り込むことで、一方のユニットの搬送路を、他方のユニット側に突出させて、これらユニットの搬送路同士を近接させることになる。一方、ユニット同士の所定の位置関係からの相対移動時に、突出・退避機構部は、作動部が、ガイド部の凹部より外側に載り上げることで、一方のユニットの搬送路を該一方のユニット側に退避させて、相対移動時における一方のユニットの搬送路の他方のユニットへの干渉を回避することになる。したがって、特別な駆動源等を設けることなく、ユニット同士の相対移動に伴うガイド部に倣った作動部の移動を利用して一方のユニットの搬送路を突出・退避させることができるため、コストを低減することができる。
【０１１３】
本発明の請求項４記載の紙幣入出金機によれば、一対のユニット同士が、紙幣が一枚ずつ受け渡される所定の位置関係にあるとき、突出・退避機構部は、一方のユニットの搬送路の案内板を、他方のユニット側に突出させることで、これらユニットの搬送路の案内板同士を近接させることになる。一方、ユニット同士の所定の位置関係からの相対移動時に、突出・退避機構部は、一方のユニットの搬送路の案内板を、該相対移動に連動して一方のユニット側に退避させることで、相対移動時における一方のユニットの搬送路の案内板の他方のユニットへの干渉を回避することになる。したがって、一方のユニットの搬送路の案内板を他方のユニット側に突出させることを可能とした上で、これらユニット同士を相対移動可能にすることができる。
【０１１４】
本発明の請求項５記載の紙幣入出金機によれば、一対のユニット同士が、紙幣が一枚ずつ受け渡される所定の位置関係にあるとき、突出・退避機構部は、一方のユニットの搬送路の動力伝達部材を、他方のユニット側に突出させることで、該他方のユニット側から駆動力の伝達を可能とする。一方、ユニット同士の所定の位置関係からの相対移動時に、突出・退避機構部は、一方のユニットの搬送路の動力伝達部材を、該相対移動に連動して一方のユニット側に退避させることで、相対移動時における一方のユニットの搬送路の動力伝達部材の他方のユニットへの干渉を回避することになる。したがって、一方のユニットの搬送路の動力伝達部材を他方のユニット側に突出させることを可能とした上で、これらユニット同士を相対移動可能にすることができる。
【０１１５】
本発明の請求項６記載の紙幣入出金機によれば、一対のユニット同士が、紙幣が一枚ずつ受け渡される所定の位置関係にあるとき、突出・退避機構部は、作動部材が凹部に入り込むことで一方のユニットの搬送路の案内板を、他方のユニット側に突出させることでこれらユニットの搬送路の案内板同士を近接させるとともに、動力伝達部材を、他方のユニット側に突出させることで、該他方のユニット側から駆動力の伝達を可能とする。一方、ユニット同士の所定の位置関係からの相対移動時に、突出・退避機構部は、一方のユニットの搬送路の案内板および動力伝達部材を、該相対移動に連動して一方のユニット側に退避させることで、相対移動時における一方のユニットの搬送路の案内板および動力伝達部材の他方のユニットへの干渉を回避することになる。したがって、一方のユニットの搬送路の案内板および動力伝達部材を他方のユニット側に突出させることを可能とした上で、これらユニット同士を相対移動可能にすることができる。しかも、案内板および動力伝達部材を共用の作動部材で移動させることができるため、コストを低減することができる。
【図面の簡単な説明】
【図１】  本発明の紙幣入出金機の一実施形態としての貨幣入出金機を示す斜視図である。
【図２】  同貨幣入出金機の機体に装填状態にある中層ユニットを示す平面図である。
【図３】  同貨幣入出金機の機体から引き出された状態にある中層ユニットを示す側面図である。
【図４】  同貨幣入出金機の紙幣入出金部の概略構成を示す側断面図である。
【図５】  同貨幣入出金機の機体に共に装填状態にある中層ユニットおよび下層ユニットを示す部分側断面図である。
【図６】  同貨幣入出金機の機体に対し中層ユニットのみを引き出す状態の中層ユニットおよび下層ユニットを示す部分側断面図である。
【図７】  同貨幣入出金機の中層ユニットの上側ガイド部材および下側ガイド部材等を示す正面図である。
【図８】  同貨幣入出金機の中層ユニットの回動部を回動させた状態を示す側断面図である。
【図９】  同貨幣入出金機の紙幣入出金部の入金処理ルートを示す側断面図である。
【図１０】  同貨幣入出金機の紙幣入出金部の出金処理ルートを示す側断面図である。
【図１１】  同貨幣入出金機の紙幣入出金部の内部充填分配補充処理ルートを示す側断面図である。
【図１２】  同貨幣入出金機の紙幣入出金部の収納処理ルートを示す側断面図である。
【図１３】  同貨幣入出金機の紙幣入出金部の整理計数処理ルートを示す側断面図である。
【図１４】  同貨幣入出金機の紙幣入出金部の返却処理時における中層ユニットを引き出した状態を示す側断面図である。
【符号の説明】
２５  中層ユニット（一方のユニット）
２６  下層ユニット（他方のユニット）
３４Ａ  搬送路
４２  搬送路
１００  突出・退避機構部
１０２  ガイド部
１０３  凹部
１２４  動力伝達ギア（動力伝達部材）
１３３  ガイドローラ（作動部）
１４４  下側ガイド部材（ガイド部材）
【図１】
0003901963.tif 000002
【図２】
0003901963.tif 000003
【図３】
0003901963.tif 000004
【図４】
0003901963.tif 000005
【図５】
0003901963.tif 000006
【図６】
0003901963.tif 000007
【図７】
0003901963.tif 000008
【図８】
0003901963.tif 000009
【図９】
0003901963.tif 000010
【図１０】
0003901963.tif 000011
【図１１】
0003901963.tif 000012
【図１２】
0003901963.tif 000013
【図１３】
0003901963.tif 000014
【図１４】
0003901963.tif 000015